(57)【特許請求の範囲】
【請求項１】
方形外周囲を周壁部で囲うと共に後面を後壁部で覆って前面開口した箱型状となし、前面の開口縁をパチンコ機内にセットされた遊技盤の裏面に対向させて取り付け得るようにしたカバー本体を有し、該カバー本体の後壁部に、第１の大型制御基板収納ボックスと、該第１の大型制御基板収納ボックスより上下方向に小さく且つ同じ横幅である第２の小型制御基板収納ボックスと、の何れか一方を択一的に設置し得るようにしたパチンコ機の裏カバーであって、
前記カバー本体の後壁部に、前記第１の大型制御基板収納ボックスの前面を受け入れ可能であり且つ大型制御基板収納ボックスの前面の横幅と等しい横幅を有する外形が方形である凹座状のボックス受け部を形成し、
同ボックス受け部の下隅部位の一方に前記第１の大型制御基板収納ボックス又は第２の小型制御基板収納ボックスのコーナ部分を差込んで、ボックス受け部の前記下隅部位を構成する２辺からはみ出す方向に相当する下及び外方向並びにボックス受け部の凹座面と直交する後方向への各位置ずれを阻止し得る共用の係り止め部を配置する一方、
同ボックス受け部に、前記第１の大型制御基板収納ボックスのコーナ部分を前記係り止め部に差込んだ状態で、該第１の大型制御基板収納ボックスの前記コーナ部分の対角隅部位をねじ止めするための第１のねじ止め部を配置し、
さらに同ボックス受け部に、前記第２の小型制御基板収納ボックスのコーナ部分を前記係り止め部に差込んだ状態で、該第２の小型制御基板収納ボックスの前記コーナ部分の対角隅部位をねじ止めするための第２のねじ止め部を配置したことを特徴とするパチンコ機の裏カバー。
【発明の詳細な説明】
【０００１】
【発明の属する技術分野】
この発明はパチンコ機において、遊技盤の裏面を覆った状態で設置される裏カバーに関する。
【０００２】
【従来の技術】
制御基板が収納された制御基板収納ボックスを裏カバーに組付けるに際し、従来では制御基板収納ボックスを複数個のねじによって裏カバーに締結していた。
【０００３】
【発明が解決しようとする課題】
本発明は裏カバーのカバー本体への制御基板収納ボックスの組付けを簡易化することを課題とするものである。
【０００４】
【課題を解決するための手段】
方形外周囲を周壁部で囲うと共に後面を後壁部で覆って前面開口した箱型状となし、前面の開口縁をパチンコ機内にセットされた遊技盤の裏面に対向させて取り付け得るようにしたカバー本体を有し、該カバー本体の後壁部に、第１の大型制御基板収納ボックスと、該第１の大型制御基板収納ボックスより上下方向に小さく且つ同じ横幅である第２の小型制御基板収納ボックスと、の何れか一方を択一的に設置し得るようにしたパチンコ機の裏カバーであって、
前記カバー本体の後壁部に、前記第１の大型制御基板収納ボックスの前面を受け入れ可能であり且つ大型制御基板収納ボックスの前面の横幅と等しい横幅を有する外形が方形である凹座状のボックス受け部を形成し、
同ボックス受け部の下隅部位の一方に前記第１の大型制御基板収納ボックス又は第２の小型制御基板収納ボックスのコーナ部分を差込んで、ボックス受け部の前記下隅部位を構成する２辺からはみ出す方向に相当する下及び外方向並びにボックス受け部の凹座面と直交する後方向への各位置ずれを阻止し得る共用の係り止め部を配置する一方、
同ボックス受け部に、前記第１の大型制御基板収納ボックスのコーナ部分を前記係り止め部に差込んだ状態で、該第１の大型制御基板収納ボックスの前記コーナ部分の対角隅部位をねじ止めするための第１のねじ止め部を配置し、
さらに同ボックス受け部に、前記第２の小型制御基板収納ボックスのコーナ部分を前記係り止め部に差込んだ状態で、該第２の小型制御基板収納ボックスの前記コーナ部分の対角隅部位をねじ止めするための第２のねじ止め部を配置したパチンコ機の裏カバーを提供する。
なお、本発明の裏カバーにおいて「前」、「後」等の関係は、パチンコ機に取り付けた状態を基準とするものであり、パチンコ機の遊技盤裏面に対向する側を「前」、その反対側を「後」とする。
【０００５】
上記構成によれば、第１の大型制御基板収納ボックス又は第２の小型制御基板収納ボックスの一方のコーナ部がカバー本体にねじ止めされ、このねじ止めされた一方のコーナ部に対して対角線上に位置する他方のコーナ部が、カバー本体に形成された係り止め部によって位置決めされる。このため、第１の大型制御基板収納ボックス又は第２の小型制御基板収納ボックスのカバー本体への取付けにあたり、先ず一方のコーナ部を係り止め部により位置決めし、この位置決め状態で他方のコーナ部をねじ止めすることができるので、第１の大型制御基板収納ボックス又は第２の小型制御基板収納ボックスの取付け作業が簡単になる。
【０００６】
【発明の実施の形態】
前記係り止め部には、コーナ部をその背後で受け止める後片と、コーナ部をその下方で受け止める下片と、コーナ部をその外方で受け止める外片とを形成する。
【０００７】
カバー本体の後壁部には、制御基板収納ボックスの基板セット台の横幅と等しい横幅を有するボックス受け部を凹設し、基板セット台の前部をボックス受け部内に嵌め込んだ状態で基板セット台の１つのコーナ部を前記係り止め部によって係止し、係り止め部によって係止された斜め上方のコーナ部をねじによって後壁部に締結する。
【０００８】
カバー本体の後壁部には、前記係り止め部によって係止された基板セット台のコーナ部の斜め上方のコーナ部を後壁部に締結するねじがねじ込まれる複数個のねじ受け部を形成する。
【０００９】
【実施例】
次に、本発明の１実施例を図面にしたがって説明する。パチンコ機の本体枠１において、外枠２の前端に回動可能に結合された方形枠状の表枠３の前面にはガラス扉と前面板とが上下に隣接して回動可能に結合された窓枠４が装着されるとともに、表枠３の下端部には前面板の前面に取付けられた上球受け皿５の斜め下方に設置された球発射操作用の操作ハンドル６が装着されている。
【００１０】
表枠３の後面には遊技盤８が嵌め込まれた開口部を有するベース枠７がねじ止めされ、このベース枠７の下端には発射装置が組付けられている。
【００１１】
ベース枠７には、遊技盤８の裏面８ａの周縁部にほぼ沿って設置される開口部を有し、遊技盤８をベース枠７の開口縁に押止した状態で遊技盤８の後側に設置された裏セット枠１０が回動可動で取外し可能に結合されている。
【００１２】
裏セット枠１０にはその上端部の後側に設置された球タンク１１と、裏セット枠１０の一側部の後側に設置された賞品球排出ユニットの賞品球ケース１２と裏セット枠１０の下部の後側に設置された球誘導ケース１３とが組付けられている。
【００１３】
遊技盤８の裏面側に設置された裏カバー装置において、遊技盤８の裏面８ａには、その一方の側縁の若干内方に賞品球ケース１２に隣接して設置されて合成樹脂材によって形成された係止部材１６が取付けられている。
【００１４】
係止部材１６には、遊技盤８の裏面８ａにねじ止めされて遊技盤８の裏面８ａと平行に設置された基片１６ａと、この基片１６ａの前面に連接され、遊技盤８の裏面８ａに凹設された楕円孔状の凹部８ｃ内に嵌め込まれた位置決め用の突条１６ｂと、基片１６ａの後面に連接されてその後方へ水平状に延出され、遊技盤８の裏面８ａの後方に内外方向への弾性曲げ変形可能に設置された板状の可撓片１６ｃと、この可撓片１６ｃの後端部に連接されて内方へ突出され、内外方向への可撓片１６ｃの曲げ変形に伴って内外方向へ弾性変位する爪片１６ｄと、基片１６ａおよび可撓片１６ｃに連接された補強片１６ｅとが一体状に形成され、この爪片１６ｄの内側面には内方へ前下り状に傾斜した受圧面１６ｆが斜面状に形成されている。
【００１５】
遊技盤８の裏面８ａに組付けられた裏カバー装置の裏カバー１７は、遊技盤８の裏面８ａおよびこの裏面８ａに装着された誘導樋や役物等をその背後から覆った状態で設置されて遊技盤８の裏面側を開閉するカバー本体１８と、このカバー本体１８を回動可能に支持した状態で遊技盤８の裏面８ａにその他方の側縁に沿って取付けられ、合成樹脂材によって縦長状に形成されたホルダ１９とに分割されている。
【００１６】
裏カバー１７のカバー本体１８はその内部を透視することができるように透明な合成樹脂材によってほぼ方形箱形状に形成されてその前端にはほぼ方形状の開口部が遊技盤８の裏面８ａに対向して開口されている。
【００１７】
カバー本体１８は、ホルダ１９に上下１対のヒンジ２６を介して前後方向への回動可能に結合されている。
【００１８】
裏カバー１７のホルダ１９は、上下１対のねじ２９によって遊技盤８の裏面８ａに結合され、このホルダ１９には、遊技盤８の裏面８ａの後方に間隙を隔てて垂直状に設置された縦長状の基片１９ａと、この基片１９ａの上下端部に連接されて前方へ突出され、遊技盤８の裏面８ａに垂直に突き当てられた状態でそれぞれ設置された上下１対の段付き円筒状の脚片１９ｂとが形成され、両脚片１９ｂはこの脚片１９ｂに貫挿されたねじ２９によって遊技盤８の裏面８ａにそれぞれ締結されている。
【００１９】
ホルダ１９の基片１９ａの上下端部には脚片１９ｂの外径より若干拡大された孔径を有し、そのホルダ１９の上に他のホルダ１９を積み重ねたときに上側のホルダ１９の脚片１９ｂの先端付近が同心状態で嵌め込まれるように丸孔状に形成された段積み孔２７がそれぞれ凹設されている。
【００２０】
ホルダ１９の両脚片１９ｂには、ねじ２９が挿通された通し孔１９ｄがそれぞれ貫設されるとともに、両脚片１９ｂの先端面には遊技盤８の裏面８ａに凹設された位置決め孔８ｂ内に挿入された突起１９ｅがそれぞれ凸設されている。
【００２１】
裏カバー１７のカバー本体１８には、両ヒンジ２６によってホルダ１９に結合されて遊技盤８の裏面８ａの後方に間隙を隔てて設置されたほぼ角筒状の周壁部２０と、この周壁部２０の後端縁に四周縁が連接されて上下方向に沿って設置された後壁部２１と、周壁部２０の反回動支点側端部にそれぞれ連接されて前方へ突出され、遊技盤８の裏面８ａに垂直に突き当てられた状態で設置された上下１対の脚部２２とが形成されている。
【００２２】
カバー本体１８の前端には、その開口部を取囲むほぼ方形状の開口縁２４が形成されている。
【００２３】
カバー本体１８の周壁部２０には、中央部付近が上方へ若干突出した状態で設置された横長状の上壁板２０ａと、中央部付近が下方へ若干突出された状態で設置された横長状の下壁板２０ｂと、周壁部２０の回動支点側の端部および反回動支点側の端部にそれぞれ設置された左右１対の縦長状の側壁板２０ｃ，２０ｄとが形成されている。
【００２４】
カバー本体１８の両脚部２２には、開口縁２４に連接されて開口縁２４の外方へ突出された突片２２ａと、この突片２２ａの前面に連接されて前方へ突出され、ホルダ１９の脚片１９ｂの形状と同様な形状を有する突き当て片２２ｂとがそれぞれ形成され、両脚部２２の各突片２２ａには、突き当て片２２ｂの外径より若干拡大された孔径を有し、その脚部２２の上に他のカバー本体１８の脚部２２を積み重ねたときに上側のカバー本体１８の脚部２２の突き当て片２２ｂの先端付近が同心状態で嵌め込まれるように丸孔状に形成された段積み孔２８がそれぞれ凹設されている。
【００２５】
両脚部２２の各突き当て片２２ｂの先端面には、遊技盤８の裏面８ａに凹設された位置決め孔８ｄ内に嵌め込まれて遊技盤８と脚部２２との相対位置を指定する突起２２ｃがそれぞれ凸設されている。
【００２６】
カバー本体１８の周壁部２０の反回動支点側の側壁板２０ｄの上下方向中央部には係止部材１６の爪片１６ｄが挿入されるように切欠かれた切欠き部３７と、この切欠き部３７の前側に設置されて係止部材１６の爪片１６ｄが解離可能に掛止された掛止部３８とが形成されている。
【００２７】
後方へ回動して遊技盤８の裏面側を開放した状態のカバー本体１８を前方へ回動させると、係止部材１６の爪片１６ｄがその受圧面１６ｆに摺接して前方へ変位する開口縁２４およびこの開口縁２４と掛止部３８との間の外壁面によって外方へ押圧されて可撓片１６ｃが外方へ曲げ変形する。
【００２８】
カバー本体１８を両脚部２２が遊技盤８の裏面８ａに突き当たるまで回動させると、掛止部３８が係止部材１６の受圧面１６ｆの先端を越えた後で爪片１６ｄが切欠き部３７内に挿入されて可撓片１６ｃが内方へ復帰変形し、爪片１６ｄが掛止部３８に掛止されてカバー本体１８が前方の回動端で係止部材１６によって回動不能にロックされる。
【００２９】
また、カバー本体１８が係止部材１６によってロックされた状態で、係止部材１６の爪片１６ｄを指で外方へ押圧して爪片１６ｄが掛止部３８から解離されるまで可撓片１６ｃを外方へ曲げ変形させると、カバー本体１８のロック状態が解除されて後方へのカバー本体１８の回動が可能となる。
【００３０】
カバー本体１８は、任意個数のカバー本体１８を同じ向きに段積みしたときに、隣り合って段積みされる２個のカバー本体１８のうちの一方のカバー本体１８が他方のカバー本体１８の開口縁２４内に挿通されて各カバー本体１８が一様な積み重ね形態で積み重ねられるように形成されている。
【００３１】
カバー本体１８の前部には、上下開口幅および左右開口幅がほぼ一定となったほぼ角筒状の形状を有する前カバー部１８ａが、周壁部２０の各壁板２０ａ，２０ｂ，２０ｃ，２０ｄの前部によって形成されるとともに、カバー本体１８の前カバー部１８ａの後側には、上下開口幅および左右開口幅が共に前端から後端にわたって漸減する箱型状の形状を有する後カバー部１８ｂが、周壁部２０の各壁板２０ａ，２０ｂ，２０ｃ，２０ｄの中央部および後部と、後壁部２１とによって形成されている。
【００３２】
カバー本体１８の後カバー部１８ｂの奥行寸法は、前カバー部１８ａの奥行寸法より増大され、本例では後カバー部１８ｂの奥行寸法は前カバー部１８ａの奥行寸法の約１．６倍となっている。
【００３３】
カバー本体１８の前カバー部１８ａと後カバー部１８ｂとの境界部でカバー本体１８の外壁面には開口縁２４の形態とほぼ等しい方形状の形態を有する受け止め縁２５が周壁部２０の全周にわたって段差状に形成されている。
【００３４】
カバー本体１８の受け止め縁２５は、任意個数のカバー本体をその各開口縁２４を下側にして上下に積み重ねて段積みしたときに、重なり合う両カバー本体１８のうちの下側のカバー本体１８の後カバー部１８ｂ全体が開口縁２４を貫通して上側のカバー本体１８内に嵌め込まれ、下側のカバー本体１８の前カバー部１８ａが上側のカバー本体１８外に露出された状態で、上側のカバー本体１８の開口縁２４が下側のカバー本体１８の受け止め縁２５によって受け止められるように形成されている。
【００３５】
カバー本体１８の後カバー部１８ｂは、２個のカバー本体１８を積み重ねて上側のカバー本体１８の開口縁２４を下側のカバー本体１８の受け止め縁２５によって受け止めた状態で上下のカバー本体１８の後カバー部１８ｂが密嵌状に嵌め合わされるように後方に向って先細状に形成されている。
【００３６】
任意個数の裏カバー１７を各カバー本体１８の開口縁２４を下側にて段積みしたときに、上下に重なり合って段積みされた２個のホルダ１９のうちの上側のホルダ１９の両脚片１９ｂの先端付近が下側のホルダ１９の両段積み孔２７内にそれぞれ同心状に嵌め込まれた状態で上側のホルダ１９が下側のホルダ１９上に積み重ねられ、上下に重なり合って段積みされた２個のカバー本体１８のうちの下側のカバー本体１８の後カバー部１８ｂが上側のカバー本体１８内に嵌め込まれて下側のカバー本体１８の前カバー部１８ａが上側のカバー本体１８外に露出された状態で上側のカバー本体１８の開口縁２４が下側のカバー本体１８の受け止め縁２５によって受止められ、また、上側のカバー本体１８の両脚部２２の先端付近が下側のカバー本体１８の両脚部２２の段積み孔２８内にそれぞれ同心状に嵌め込まれた状態で上側のカバー本体１８の両脚部２２が下側のカバー本体１８の両脚部２２上に積み重ねられる。
【００３７】
段積みされる１群のカバー本体１８は、最上段のカバー本体１８を除く各カバー本体１８の各後カバー部１８ｂの奥行寸法が全体の積み重ね高さに加算されずに最上段のカバー本体１８を除く各カバー本体１８の各前カバー部１８ａがほぼ隙間なく段積みされてこの各前カバー部１８ａの各奥行寸法が加算された状態で積み重ねられ、１群のカバー本体１８全体の総積み重ね高さは、最上段のカバー本体１８の後カバー部１８ｂの奥行寸法と、各カバー本体１８の前カバー部１８ａの各奥行寸法と、最下段のカバー本体１８の脚部２２の高さとを合計した高さとなる。
【００３８】
カバー本体１８の後カバー部１８ｂには、カバー本体１８内の昇温空気を後カバー部１８ｂの各所からカバー本体１８外へ放出する多数個の放熱窓３４ｃ，３４ｃ…が貫設されている。
【００３９】
カバー本体１８の後壁部２１の上端には、電気部品から引出された複数のリード線束が一括して挿通および把持されるようにＬ形状に曲折されたリード線把持片３０が突出形成されるとともに、後壁部２１の上端および下端には電気部品から引出された複数のリード線束が挿通されるリード線挿通口３１が横長状に開設されている。
【００４０】
カバー本体１８の後端面には、パチンコ機全体をコントロールする制御基板３２を内部に収納した状態で設置されてカバー本体１８の後壁部２１に重ね合わされた制御基板収納ボックス３３が組付けられている。
【００４１】
制御基板収納ボックス３３は、制御基板３２が嵌め込まれてねじ止めされた浅箱状の基板セット台３３ａと、制御基板３２の端縁部に取付けられた複数個のコネクタ３６を外部に露出した状態で基板セット台３３ａに取外し可能に結合されて基板セット台３３ａの後側に設置された基板カバー３３ｂとによって形成されている。
【００４２】
制御基板収納ボックス３３の基板セット台３３ａは、その一端部の上端に直角状に形成されて基板カバー３３ｂ外に露出された上コーナ部４４と、基板セット台３３ａの他端部の下端に直角状に形成されて上コーナ部４４の斜め下方に配設され、基板カバー３３ｂ外に露出された下コーナ部４５とを備えている。
【００４３】
カバー本体１８の後壁部２１には、制御基板収納ボックス３３の基板セット台３３ａの前部を内部に嵌め込んで制御基板収納ボックス３３を前寄りに変移させ、後方への制御基板収納ボックス３３の突出量を縮小して制御基板収納ボックス３３をカバー本体１８に組付ける目的で前方へ凹陥されて制御基板収納ボックス３３の基板セット台３３ａの横幅と等しい横幅を有するボックス受け部３４が後壁部２１のほぼ全体にわたって形成され、このボックス受け部３４の中央部付近には方形孔状の窓部３５が開口されている。
【００４４】
ボックス受け部３４には、基板セット台３３ａの前面が当接された状態で制御基板収納ボックス３３が取付けられる垂直な取付け面３４ａと、この取付け面３４ａの四周縁に連接されて取付け面３４ａを取囲む周壁面３４ｂとが形成されている。
【００４５】
基板セット台３３ａは、その前部がボックス受け部３４の周壁面３４ｂの下壁面上に載置されて基板セット台３３ａの前面が取付け面３４ａに接し、基板セット台３３ａの両側面の前部が周壁面３４ｂの両側壁面に接してこの両側壁間に挟み込まれた状態でボックス受け部３４内に上下方向へのスライド可能に嵌め込まれている。
【００４６】
ボックス受け部３４の大きさは横幅が一定で上下幅が異なる少くとも２種類の基板セット台３３ａが嵌め込まれる大きさに設定されている。
【００４７】
カバー本体１８の後壁部２１の下端の反回動支点側端部には、制御基板収納ボックス３３の基板セット台３３ａの下コーナ部４５を係止して後方、下方および外方への下コーナ部４５の位置ずれを禁止する係り止め部４６がボックス受け部３４の周壁面３４ｂの下側の一方のコーナ部に沿って形成されている。
【００４８】
係り受け部４６には、基板セット台３３ａの下コーナ部４５をボックス受け部３４の取付け面３４ａとの間に挟み込み、下コーナ部４５をその背後で受け止めて後方への下コーナ部４５の位置ずれを阻止する後片４６ａと、下コーナ部４５をその下方で受け止めて下方への下コーナ部４５の位置ずれを阻止する下片４６ｂと、下コーナ部４５をその外方で受け止めて外方への下コーナ部４５の位置ずれを阻止する外片４６ｃとが形成されている。
【００４９】
カバー本体１８のボックス受け部３４の前面には、制御基板収納ボックス３３の基板取付け台３３ａの両コーナ部４４，４５のうち、係り止め部４６によって係止された下コーナ部４５の斜め上方の上コーナ部４４を取付け面３４ａに締結するねじ４８がねじ込まれる上下１対のねじ受け片４３が凸設されている。
【００５０】
この両ねじ受け片４３は２種類の制御基板収納ボックス３３のうちの何れか一方の制御基板収納ボックス３３の基板セット台３３ａの上コーナ部４４を取付け面３４ａに締結する目的で併設されている。
【００５１】
制御基板収納ボックス３３の基板セット台３３ａを係り止め部４６の後方位置からボックス受け部３４内に嵌め込んで下方へスライドさせると、基板セット台３３ａの下コーナ部４５が係り止め部４６に係合する。
【００５２】
制御基板収納ボックス３３の基板セット台３３ａの下コーナ部４５を係り止め部４６に係合させてから、基板セット台３３ａの上コーナ部４４に貫挿したねじ４８を一方のねじ受け片４３にねじ込んで上コーナ部４４を取付け面３４ａに締結すると、制御基板収納ボックス３３をカバー本体１８に組付けることができる。
【００５３】
カバー本体１８の後壁部２１の左右部には、制御基板収納ボックス３３の基板セット台３３ａの前面に凸設された左右２対の突起３９を嵌め込んで後壁部２１への基板セット台３３ａの取付け位置を指定する左右２対の位置決め孔４０が貫設されている。
【００５４】
カバー本体１８の後壁部２１の裏面上端には長方形状の突縁５１ａによって囲まれた基板取付け部５１が形成され、この基板取付け部５１には遊技盤８に装着された各種役物によって発信される複数の情報出力、例えば、電動役物入賞情報出力、判定図柄変動情報出力、電動役物作動情報出力、特別装置作動情報出力等をそれぞれ中継する中継基板５２が取付けられている。
【００５５】
この中継基板５２には、この中継基板５２と制御基板３２とを接続するリード線が接続されたコネクタ５３と、この中継基板５２と本体枠１の上端に取付けられた外部出力用の中継基板とを接続するリード線が接続された複数個のコネクタ５４とが取付けられている。
【００５６】
遊技盤８の裏面側に設置された裏カバー１７は、図２、図３に示すように、カバー本体１８の後端面１８ｄが球タンク１１の後端面１１ａおよび賞品球ケース１２の後端面１２ａの前方に配置されて外枠２の後端面２ａからカバー本体１８の後端面１８ｄまでの距離が縮小された状態で設置され、また、裏カバー１７のカバー本体１８に組付けられた制御基板収納ボックス３３は、その後端面３３ｄが球タンク１１の後端面１１ａおよび賞品球ケース１２の後端面１２ａからその後方へ若干突出した状態で設置される。
【００５７】
また、制御基板収納ボックス３３は、上球受け皿４の前端面および操作ハンドル６の前端面が表枠３の前面から突出された突出量と、制御基板収納ボックス３３の後端面３３ｄが外枠２の後端面２ａから突出された突出量がほぼ等しくなった状態で設置される。
【００５８】
上記実施例によれば、制御基板収納ボックス３３の基板セット台３３ａの下コーナ部４５を係り止め部４６に係合させて上コーナ部４４をねじ４８によってねじ受け部４３に締結し、１個のねじ４８をねじ受け片４３にねじ込むねじ止め作業を行うだけで基台セット台３３ａをカバー本体１８に組付けることができ、制御基板収納ボックス３３をカバー本体１８に組付ける組付け作業および制御基板収納ボックス３３をカバー本体１８から取外す取外し作業を簡易化および能率化することができる。
【００６０】
【発明の効果】
請求項１の発明によれば、第１の大型制御基板収納ボックス又は第２の小型制御基板収納ボックスの１つのコーナ部を係り止め部に係合させて、他の１つのコーナ部をねじによってカバー本体に締結し、１個のねじをねじ受け片にねじ込むねじ止め作業を行うだけで大小何れの制御基板収納ボックスでもカバー本体に組付けることができ、制御基板収納ボックスをカバー本体に組付ける組付け作業および制御基板収納ボックスをカバー本体から取外す取外し作業を簡易化および能率化することができる。
【図面の簡単な説明】
【図１】  本発明の１実施例を示すパチンコ機の裏面図である。
【図２】  同じく、パチンコ機の平面図である。
【図３】  同じく、パチンコ機の側面図である。
【図４】  裏カバーおよび制御基板収納ボックス（第２の小型制御基板収納ボックス）の裏面図である。
【図５】  裏カバーおよび制御基板収納ボックスの横断面図である。
【図６】  図４のＸ１−Ｘ１線拡大断面図である。
【図７】  裏カバーの裏面図である。
【図８】  図７のＸ２−Ｘ２線拡大断面図である。
【図９】  図４のＸ３−Ｘ３線拡大断面図である。
【図１０】  図４のＸ４−Ｘ４線拡大断面図である。
【図１１】  係止部材の斜視図である。
【図１２】  図４のＸ５−Ｘ５線拡大断面図である。
【図１３】  係り止め部付近の裏面図である。
【図１４】  係り止め部付近の斜視図である。
【図１５】  図１３のＸ６−Ｘ６線断面図である。
【図１６】  図１３のＸ７−Ｘ７線断面図である。
【符号の説明】
８  …遊技盤
１７  …裏カバー
１８  …カバー本体
２１  …後壁部
３２  …制御基板
３３  …制御基板収納ボックス（第２の小型制御基板収納ボックス）
３４  …ボックス受け部
４３  …ねじ受け片（第１、第２のねじ止め部）
４５  …コーナ部
４６  …係り止め部
【図１】
0004062454.tif 000002
【図２】
0004062454.tif 000003
【図３】
0004062454.tif 000004
【図４】
0004062454.tif 000005
【図５】
0004062454.tif 000006
【図６】
0004062454.tif 000007
【図７】
0004062454.tif 000008
【図８】
0004062454.tif 000009
【図９】
0004062454.tif 000010
【図１０】
0004062454.tif 000011
【図１１】
0004062454.tif 000012
【図１２】
0004062454.tif 000013
【図１３】
0004062454.tif 000014
【図１４】
0004062454.tif 000015
【図１５】
0004062454.tif 000016
【図１６】
0004062454.tif 000017